(57)【要約】【課題】インサートナットの浮き上がり現象を防止することができるインサートナット支持構造を提供すること。【解決手段】内周面に雌ネジ部６１を有する筒状のインサートナット６０を凹部４０に挿入させることで、該インサートナット６０を支持する支持構造において、凹部４０は、締結面１３と反対側の面１４に形成された開口４２よりインサートナット６０を挿入させるものであり、締結面１３から凹部４０に向けて貫通する態様で該凹部４０の内径よりも小径に形成され、かつ該締結面１３側から進入して自身を貫通するネジ１をインサートナット６０の雌ネジ部６１と螺合させる貫通孔５０を備えたものである。【選択図】図３
2014105831.tif 000002
【特許請求の範囲】
【請求項１】
内周面に雌ネジ部を有する筒状のインサートナットを凹部に挿入させることで、該インサートナットを支持する支持構造において、
前記凹部は、締結面と反対側の面に形成された開口より前記インサートナットを挿入させるものであり、
前記締結面から前記凹部に向けて貫通する態様で該凹部の内径よりも小径に形成され、かつ該締結面側から進入して自身を貫通する雄ネジを前記インサートナットの雌ネジ部と螺合させる貫通孔を備えたことを特徴とするインサートナット支持構造。
【請求項２】
前記貫通孔は、内径が前記インサートナットと内径と同等の大きさを有していることを特徴とする請求項１に記載のインサートナット支持構造。
【発明の詳細な説明】
【技術分野】
【０００１】
本発明は、インサートナット支持構造に関し、より詳細には、内周面に雌ネジ部を有する筒状のインサートナットを凹部に挿入させることで、該インサートナットを支持する支持構造に関するものである。
【背景技術】
【０００２】
一般的に、商用の交流電源等から交流電力を受電し、任意の周波数及び電圧の交流電力に変換して出力することにより負荷を駆動するインバータ装置が知られている。
【０００３】
このようなインバータ装置においては、所望の周波数及び電圧の交流電力に出力する主回路部の動作を与えられた指令に応じて制御する部品が実装された制御回路基板が設けられている。この制御回路基板は、本体ケースの収納域にネジにより取り付けられて収納されている。また、本体ケースの前面開口は、本体カバーがネジを介して取り付けられることにより該本体カバーにより閉塞されている。
【０００４】
上記インバータ装置における制御回路基板や本体カバーの取り付けは、図６に示すように、本体ケースのような被取付部材１００の凹部４００に挿入（圧入若しくは熱圧入等）された筒状のインサートナット６００に対し、該制御回路基板や本体カバーのような取付部材３００の孔３２０を貫通する雄ネジＮが螺合することにより行われている（例えば、特許文献１又は特許文献２参照）。
【先行技術文献】
【特許文献】
【０００５】
【特許文献１】実開平６−５９０２２号公報
【特許文献２】特開平１０−２１１４８５号公報
【発明の概要】
【発明が解決しようとする課題】
【０００６】
ところで、上述した特許文献１や特許文献２における被取付部材１００の凹部４００は、該被取付部材１００の締結面１３０に形成された開口４２０よりインサートナット６００を挿入させるものである。そのため、取付部材３００を被取付部材１００から取り外す場合において、雄ネジＮをインサートナット６００から離脱させる際にインサートナット６００にも雄ネジＮの回転トルクが作用して、図７に示すように、インサートナット６００が凹部４００から浮き上がってしまう現象が生ずることがあった。このような浮き上がり現象が生じてしまうと、取付部材３００を被取付部材１００の締結面１３０に沿って締結させて取り付けることが困難になり、また再度インサートナット６００を凹部４００に挿入させる必要があることからコストの増大化を招来する虞れがあった。
【０００７】
本発明は、上記実情に鑑みて、インサートナットの浮き上がり現象を防止することができるインサートナット支持構造を提供することを目的とする。
【課題を解決するための手段】
【０００８】
上記目的を達成するために、本発明に係るインサートナット支持構造は、内周面に雌ネジ部を有する筒状のインサートナットを凹部に挿入させることで、該インサートナットを支持する支持構造において、前記凹部は、締結面と反対側の面に形成された開口より前記インサートナットを挿入させるものであり、前記締結面から前記凹部に向けて貫通する態様で該凹部の内径よりも小径に形成され、かつ該締結面側から進入して自身を貫通する雄ネジを前記インサートナットの雌ネジ部と螺合させる貫通孔を備えたことを特徴とする。
【０００９】
また、本発明は、上記インサートナット支持構造において、前記貫通孔は、内径が前記インサートナットと内径と同等の大きさを有していることを特徴とする。
【発明の効果】
【００１０】
本発明によれば、凹部が、締結面と反対側の面に形成された開口よりインサートナットを挿入させ、締結面から凹部に向けて貫通する態様で該凹部の内径よりも小径に形成された貫通孔が、締結面側から進入して自身を貫通する雄ネジをインサートナットの雌ネジ部と螺合させるので、取付部材を被取付部材から取り外す場合に、インサートナットが締結面側に移動することを規制することができ、インサートナットの浮き上がり現象を防止することができるという効果を奏する。
【図面の簡単な説明】
【００１１】
【図１】図１は、本発明の実施の形態であるインサートナット支持構造が適用されたインバータ装置の構成を示す斜視図である。
【図２】図２は、図１に示した本体ケースの収納域を示す斜視図である。
【図３】図３は、本体ケースに対する制御回路基板の取り付けについての説明用断面図である。
【図４】図４は、図３に示した本体ケースの要部を示す説明用断面図である。
【図５】図５は、本体ケースに対する制御回路基板の取り付けについての説明用断面図である。
【図６】図６は、被取付部材に対する取付部材の従来の取り付けについての説明用断面図である。
【図７】図７は、被取付部材に対する取付部材の従来の取り付けについての説明用断面図である。
【発明を実施するための形態】
【００１２】
以下に添付図面を参照して、本発明に係るインサートナット支持構造の好適な実施の形態について詳細に説明する。
【００１３】
図１は、本発明の実施の形態であるインサートナット支持構造が適用されたインバータ装置の構成を示す斜視図である。ここに例示するインバータ装置は、本体ケース１０と本体カバー２０とを備えて構成されている。
【００１４】
本体ケース１０は、図２に示すように、前面に開口１１が形成された筐体であり、その内部の収納域１２に制御回路基板３０がネジ（雄ネジ）１により取り付けられて配設されている。制御回路基板３０は、種々の制御回路部品が実装されており、より詳細には、与えられた指令に応じて主回路部（図示せず）の動作を制御する部品や、外部機器との接続を行う外部インターフェース部品３１等が実装されている。ここで主回路部は、本体ケース１０に収納されており、商用電源から供給された交流電力を所望の周波数及び電圧の交流電力に変換して出力するインバータ主回路を有している。
【００１５】
本体カバー２０は、ネジ（雄ネジ）２を介して本体ケース１０の前面開口１１を閉塞する態様で該本体ケース１０に取り付けられている。この本体カバー２０には、図には明示しないが、操作パネル等が配設されている。
【００１６】
上記インバータ装置において、制御回路基板３０及び本体カバー２０は、それぞれネジ１，２を介して本体ケース１０に取り付けられているが、その取り付けは以下のようにして行われている。
【００１７】
図３は、本体ケースに対する制御回路基板の取り付けについての説明用断面図である。尚、ここでは本体ケース１０に対する制御回路基板３０の取り付けについて説明するが、本体ケース１０に対する本体カバー２０の取り付けも同様の構成により行われており、その説明は割愛する。
【００１８】
本体ケース１０における取付部位においては、凹部４０と貫通孔５０とが設けられている。凹部４０は、図４にも示すように、前面（締結面）１３と反対側の面（以下、後面ともいう）１４に開口する円柱状の中空部分４１を有して成るものである。この凹部４０には、後面１４に形成された開口４２より円筒状のインサートナット６０が挿入されている。より詳細に説明すると、凹部４０の内径はインサートナット６０の外径よりも僅かに小さい大きさを有しており、インサートナット６０が上記開口４２より圧入、あるいは熱圧入により挿入されている。このインサートナット６０は、例えば金属製のものであり、内周面に雌ネジ部６１が形成されている。
【００１９】
貫通孔５０は、前面１３から凹部４０に向けて貫通する態様で形成されており、中心軸が凹部４０の中空部分４１の中心軸と一致するよう形成されている。この貫通孔５０は、本体ケース１０の前方域と凹部４０の中空部分４１とを連通している。かかる貫通孔５０の内径は、凹部４０に挿入されたインサートナット６０の内径と同等の大きさを有しており、凹部４０の内径よりも小さいものである。このような貫通孔５０が形成されることにより、図４に示すように、凹部４０の底部には当接面４３が形成されている。
【００２０】
そして、制御回路基板３０の所定の孔部３２を貫通するネジ１を、貫通孔５０を貫通させてインサートナット６０の雌ネジ１と螺合させることにより、制御回路基板３０をネジ１により本体ケース１０の前面１３に締結させることで、制御回路基板３０が本体ケース１０に取り付けられて配設されている。
【００２１】
このようにして取り付けられた制御回路基板３０を本体ケース１０から取り外す場合には、ネジ１を取付時とは反対方向に回転させることでインサートナット６０と離脱させることとなる。この場合、インサートナット６０にもネジ１の回転トルクが作用することになるが、インサートナット６０は、図５に示すように、当接面４３に当接して前方への移動が規制されている。これにより、インサートナット６０が凹部４０に挿入された状態で、制御回路基板３０を本体ケース１０より取り外すことができる。
【００２２】
このように本発明の実施の形態においては、本体ケース１０が、内周面に雌ネジ部６１を有する筒状のインサートナット６０を凹部４０に挿入させることで、該インサートナット６０を支持する支持構造を構成している。
【００２３】
以上説明したような本実施の形態のインサートナット支持構造（本体ケース１０）によれば、凹部４０が、前面（締結面）１３と反対側となる後面１４に形成された開口４２よりインサートナット６０を挿入させ、前面１３から凹部４０に向けて貫通する態様で該凹部４０の内径よりも小径に形成された貫通孔５０が、該前面１３側から進入して自身を貫通するネジ１をインサートナット６０の雌ネジ部６１と螺合させるので、制御回路基板３０を本体ケース１０から取り外す場合に、インサートナット６０が前方１３側（締結面側）に移動することを規制することができ、インサートナット６０の浮き上がり現象を防止することができる。
【００２４】
このようにインサートナット６０の浮き上がり現象を防止することができることで、制御回路基板３０を再度取り付けることも容易に行うことができ、しかもインサートナット６０を凹部４０に再度挿入させる必要もないので、コストの増大化を招来する虞れもない。
【００２５】
以上、本発明の好適な実施の形態について説明したが、本発明はこれに限定されるものではなく、種々の変更を行うことができる。
【００２６】
上述した実施の形態では、インサートナット支持構造の適用例としてインバータ装置を例示したが、本発明はインバータ装置に限られるものではない。
【００２７】
上述した実施の形態では、制御回路基板３０を取付部材とし、本体ケース１０を被取付部材として説明したが、本発明では、制御回路基板３０以外の構成要素を取付部材としてもよい。
【００２８】
上述した実施の形態では、凹部４０は、円柱状の中空部分４１を有するものであり、インサートナット６０は円筒状の形態を有するものであったが、本発明においては、凹部は、多角柱状の中空部分を有するものであっても良いし、インサートナットもかかる凹部に挿入可能な筒状の形態をなしていればよい。
【符号の説明】
【００２９】
１  ネジ
２  ネジ
１０  本体ケース
１３  前面（締結面）
１４  後面
３０  制御回路基板
３２  孔部
４０  凹部
４１  中空部分
４２  開口
４３  当接面
５０  貫通孔
６０  インサートナット
６１  雌ネジ部
【図１】
2014105831.tif 000003
【図２】
2014105831.tif 000004
【図３】
2014105831.tif 000005
【図４】
2014105831.tif 000006
【図５】
2014105831.tif 000007
【図６】
2014105831.tif 000008
【図７】
2014105831.tif 000009